(57)【特許請求の範囲】
【請求項１】
光リンク（１１、１２、２１、２２、３１、３２、４１、４２）によって相互接続されたトランスペアレントな交換ノード（１、２、３、４）を備える光通信ネットワーク内の物理的劣化の表現を作り出す方法であって、
双方向リンク（１０、２０、３０、４０）として一対の反対方向の光リンクを関連付けるステップと、
前記対のそれぞれの前記反対方向の光リンクの少なくとも１つの個別の物理的劣化パラメータを提供するステップと、
前記対の反対方向の光リンクのそれぞれの前記物理的劣化パラメータから前記双方向リンクの少なくとも１つの物理的劣化パラメータ特性を判定するステップと、
前記双方向リンクの前記少なくとも１つの物理的劣化パラメータ特性を備える双方向リンクの記述子を保存するステップと
を備える、方法。
【請求項２】
前記双方向リンクの前記物理的劣化パラメータ特性のうちの少なくとも１つが残留色分散パラメータを含み、前記残留色分散パラメータが前記対のそれぞれの前記反対方向の光リンクの残留色分散パラメータの数学的平均として取得されるということを特徴とする、請求項１に記載の方法。
【請求項３】
前記双方向リンクの前記物理的劣化パラメータ特性のうちの少なくとも１つが光信号対雑音比パラメータを含み、前記光信号対雑音比パラメータが前記対のそれぞれの前記反対方向の光リンクについての光信号対雑音比パラメータの最小として取得されるということを特徴とする、請求項１に記載の方法。
【請求項４】
前記双方向リンクの前記物理的劣化パラメータ特性のうちの少なくとも１つが非線形位相パラメータを含み、前記非線形位相パラメータが前記対のそれぞれの前記反対方向の光リンクについての非線形位相パラメータの最大として取得されるということを特徴とする、請求項１に記載の方法。
【請求項５】
前記双方向リンクの前記物理的劣化パラメータ特性のうちの少なくとも１つが偏波モード分散パラメータを含み、前記偏波モード分散パラメータが前記対のそれぞれの前記反対方向の光リンクについての偏波モード分散パラメータの２乗平均平方根値として取得されるということを特徴とする、請求項１に記載の方法。
【請求項６】
光通信ネットワーク内のノードのうちの１つまたは複数に送信されるプロトコル経路指定メッセージ内の双方向リンク記述子を広めるステップを備える、請求項１に記載の方法。
【請求項７】
光リンク（１１、１２）によって相互接続されたトランスペアレントな交換ノード（１）を備える光通信ネットワークのリンクのデータベース（５８）であって、前記データベースが少なくとも２つの反対方向の光リンクを含む双方向リンクの記述子を備えるように構成され、前記双方向リンク記述子は前記双方向リンクの少なくとも１つの物理的劣化パラメータ特性を備え、前記物理的劣化パラメータ特性がそれぞれの前記反対方向の光リンクに対応する物理的劣化パラメータから取得される、データベース。
【請求項８】
光通信ネットワーク内の接続パスを介して少なくとも２つの光送受信装置デバイスを双方向でリンクすることを意図されたトランスペアレントな光接続の伝送品質を判定する方法であって、
前記接続パスに沿って複数の双方向リンク（１０、２０、３０）のそれぞれの双方向リンク記述子を提供するステップであって、前記双方向リンク記述子が前記双方向リンクの少なくとも１つの物理的劣化パラメータ特性を各提供で備え、前記双方向リンクが一対の反対方向の光リンクを各提供で備え、前記物理的劣化パラメータ特性が前記対のそれぞれの反対方向の光リンクに対応する物理的劣化パラメータから取得される、ステップと、
前記双方向リンク記述子にしたがって接続の前記伝送品質を判定するステップと
を備える、方法。
【請求項９】
双方向リンクの前記物理的劣化パラメータ特性のうちの少なくとも１つが累積パラメータを備え、前記方法が前記接続パスを介して蓄積される前記累積パラメータの値の判定と前記接続パスを介して蓄積された前記値による伝送品質の判定とを備えるということを特徴とする、請求項８に記載の方法。
【請求項１０】
光リンク（１１、１２、２１、２２、３１、３２、４１、４２）によって相互接続されたトランスペアレントな交換ノード（１、２、３、４）を備える光通信ネットワーク内の伝送品質を判定する装置であって、
双方向リンク（１０、２０、３０、４０）として一対の反対方向の光リンクを関連付ける手段と、
前記対のそれぞれの前記反対方向の光リンクの少なくとも１つの個別の物理的劣化パラメータを提供する手段と、
前記対の反対方向の光リンクのそれぞれの前記物理的劣化パラメータから前記双方向リンクの少なくとも１つの物理的劣化パラメータ特性を判定する手段と、
前記双方向リンクの前記少なくとも１つの物理的劣化パラメータ特性を備える双方向リンクの記述子を保存する手段と
を備える、装置。
【請求項１１】
請求項１０に記載の装置または請求項７に記載のデータベースを備える光通信ネットワーク。
【発明の詳細な説明】
【技術分野】
【０００１】
本発明は、光通信ネットワークの分野に関し、特に、データフローを伝送するためにトランスペアレントな光接続を確立する能力のある、光ネットワークの分野に関する。
【背景技術】
【０００２】
トランスペアレントなまたはハイブリッドの光ネットワークにおいてトランスペアレントな接続を確立することは、通常は、ネットワークにおける空間接続パスの選択と、この接続パスでデータを搬送するために使用可能な１つまたは複数の搬送波の選択と、選択された接続パスおよび搬送波で達成できる伝送品質の推定とを含む、同時にまたは続けて実行され得るいくつかの動作を伴う。
【０００３】
ＦＲ−Ａ−２８６４３８６は、光通信ネットワークにおける単方向リンクの物理的劣化の表現を作成する方法と、この表現を使用するトランスペアレントな単方向光接続について、たとえば２進誤り率の形態で、伝送品質を判定する方法とを説明する。
【先行技術文献】
【特許文献】
【０００４】
【特許文献１】仏国特許出願公開第２８６４３８６号明細書
【非特許文献】
【０００５】
【非特許文献１】「Ａ  Ｆｒａｍｅｗｏｒｋ  ｆｏｒ  ｔｈｅ  Ｃｏｎｔｏｒｏｌ  ｏｆ  Ｗａｖｅｌｅｎｇｔｈ  Ｓｗｉｔｃｈｅｄ  Ｏｐｔｉｃａｌ  Ｎｅｔｗｏｒｋｓ（ＷＳＯＮ）  ｗｉｔｈ  Ｉｍｐａｉｒｍｅｎｔｓ」Ｇ．Ｂｅｒｎｓｔｅｉｎら、２００９年５月５日、ＩＥＴＦ
【非特許文献２】Ｒｅｑｕｅｓｔ  ｆｏｒ  Ｃｏｍｍｅｎｔ  ４２０１、２００５年１０月、ＩＥＴＦ
【発明の概要】
【課題を解決するための手段】
【０００６】
一実施形態によれば、本発明は、光リンクによって相互接続されたトランスペアレントな交換ノードを備える光通信ネットワークにおける物理的劣化の表現を作り出す方法を説明し、前記方法は：
双方向リンクとして一対の反対方向の光リンクを関連付けること、
前記対のそれぞれの前記反対方向の光リンクの少なくとも１つの個別の物理的劣化パラメータを提供すること、
前記対の反対方向の光リンクの物理的劣化パラメータのうちの１つから前記双方向リンクの少なくとも１つの物理的劣化パラメータ特性を判定すること、
前記双方向リンクの前記少なくとも１つの物理的劣化パラメータ特性を備える双方向リンクの記述子を保存すること、を伴う。
【０００７】
もう１つの有利な実施形態で、本方法は、以下の特性のうちの１つまたは複数を示すことができる：
−  双方向リンクの物理的劣化パラメータまたはパラメータ特性が残留色分散パラメータを含み、前記残留色分散パラメータは前記対のそれぞれの前記反対方向の光リンクの残留色分散パラメータの数学的平均として取得されること。
−  双方向リンクの物理的劣化パラメータまたはパラメータ特性が光信号対雑音比パラメータを含み、前記光信号対雑音比パラメータは前記対のそれぞれの前記反対方向の光リンクの光信号対雑音比パラメータの最小値として取得されること。
−  双方向リンクの物理的劣化パラメータまたはパラメータ特性が非線形位相パラメータを含み、前記非線形位相パラメータは前記対のそれぞれの前記反対方向の光リンクの非線形位相パラメータの最大値として取得されること。
−  双方向リンクの物理的劣化パラメータまたはパラメータ特性が偏波モード分散パラメータを含み、前記偏波モード分散パラメータは前記対のそれぞれの前記反対方向の光リンクの偏波モード分散パラメータの２乗平均平方根値として取得されること。
−  本方法は、光通信ネットワーク内のノードのうちの１つまたは複数に送信されるプロトコル経路指定メッセージ内で双方向リンク記述子を広めるステップを備える。
【０００８】
一実施形態で、本発明はまた、光リンクによって相互接続されたトランスペアレントな交換ノードを備える光通信ネットワークのリンクのデータベースを提供し、前記光リンクのうちの少なくとも２つは反対方向であり、双方向リンクとして対にされ、前記データベースは前記双方向リンクの記述子を備え、前記双方向リンク記述子は前記双方向リンクの少なくとも１つの物理的劣化パラメータ特性を備え、前記物理的劣化パラメータは前記対のそれぞれの前記反対方向の光リンクに対応する物理的劣化パラメータから取得される。
【０００９】
このタイプのデータベースは、ネットワークノード制御ユニットに、または、たとえばネットワーク制御装置またはパス計算装置など、別個の装置にインストールすることができる。それは、たとえば経路指定プロトコルを介して、これらの記述子の拡散が実装されるか、または反対に物理的劣化情報が局所的に保存されるかに応じて、程度の差はあるがネットワークの大部分についての双方向リンク記述子を備えることができる。
【００１０】
一実施形態によれば、本発明はまた、トランスペアレントな光接続の伝送品質を判定する方法を提供し、前記接続は光通信ネットワークにおいて接続パスを介して少なくとも２つの光送受信装置を双方向でリンクするように設計され、前記方法は：
前記接続パスに沿った一組の双方向リンクのそれぞれについて双方向リンク記述子を提供するステップであって、前記双方向リンク記述子は前記双方向リンクの少なくとも１つの物理的劣化パラメータ特性を備え、前記双方向リンクは一対の反対方向の光リンクを備え、前記物理的劣化パラメータは前記対のそれぞれの反対方向の光リンクに対応する物理的劣化パラメータから取得される、ステップと、
前記双方向リンク記述子による接続の前記伝送品質を判定するステップとを備える。
【００１１】
実施形態によれば、双方向リンク記述子は、ネットワークノード制御ユニットに、または、たとえばネットワーク制御装置もしくはパス計算装置など、別個の装置にインストールされた１つまたは複数のデータベースからの抽出によって提供され得る。
【００１２】
好ましい一実施形態によれば、双方向リンクの物理的劣化パラメータまたはパラメータ特性は１つまたは複数の蓄積されたパラメータを備え、前記方法は前記接続パスを介する各累積パラメータの値の判定と、接続パスを介する蓄積された１つまたは複数の値に関する伝送品質の判定とを備える。
【００１３】
本発明は、双方向接続が光通信ネットワークで頻繁に使用されるという観測から開始する。本発明の基本的発想は、双方向接続の２つの反対方向の接続への分解を必要とすることなしにトランスペアレントな双方向光接続の伝送品質を判定することができるように、双方向リンクレベルで光ネットワーク内の物理的劣化の表現を提供することである。本発明の基礎を成すもう１つの発想は、この双方向リンク上の信号が被る物理的劣化のコンパクトな、高信頼の表現を取得するために、双方向リンクを備える単方向光リンクの物理的劣化パラメータをバンドルすることである。
【００１４】
添付の図面の参照とともに、例示的且つ非限定的な例としてのみ与えられる本発明の複数の個々の実施形態の以下の説明を考察するとき、本発明をよりよく理解することができ、その他の目的、詳細、特性および利点がより容易に明らかになろう。
【図面の簡単な説明】
【００１５】
【図１】本発明の実施形態が実装され得る光通信ネットワークの機能的概略図である。
【図２】図１のネットワーク上のノードで使用され得るノード制御ユニットの機能的概略図である。
【図３】図１のネットワーク内に実装され得るバンドルドリンク記述子を生成する方法のステップの図である。
【発明を実施するための形態】
【００１６】
図１は、トランスペアレントな接続を確立することができる波長分割多重伝送方式（ＷＤＭ）光ネットワークの非常に簡単な一例を示す。そのネットワークは、単方向光リンク１１、１２、２１、２２、３１、３２、４１および４２によって接続された４つのトランスペアレントな通信ノード１、２、３、および４を備える。トランスペアレントな交換ノードは、光信号を電子信号に変換することなしに光信号をスイッチングすることができるデバイスを意味する。この用語は、ノードが必要ならばＯ／Ｅ／Ｏ変換によって光信号を再生することもできることを排除しない。用語ハイブリッドノードもまた、信号を再生することができるトランスペアレントなノードを示すために使用される。
【００１７】
図１は、データプランの部分である各ノード１ａ、２ａ、３ａ、または４ａについてのトランスペアレントなまたはハイブリッドの光スイッチング素子と、制御プランの部分である制御ユニット１ｂ、２ｂ、３ｂ、または４ｂとを示す。ネットワークのデータおよび制御プランへの分離は機能的である。それは教示を目的として示されるが、ネットワーク構成要素の具体的な構造に必ずしも一致しない。
【００１８】
光スイッチング素子の多数の知られているアーキテクチャは、たとえば、波長マルチプレクサおよびデマルチプレクサ、ビームスプリッタおよび結合器、光スイッチングマトリックス、波長選択スイッチ、波長ブロッカ、光ゲート、波長コンバータなどの構成要素を使用して、デバイス１ａから４ａを作成するのに適する。デバイス１ａから４ａはまた、搬送波を光リンクに挿入するための、たとえば光送信機など、電気−光変換インタフェースと、搬送波で搬送されるデータを復調するための、たとえば光受信機など、光−電気変換インタフェースとを備え得る。
【００１９】
単方向光リンク１１から４２は、２つの隣接するノード間で複数の搬送波を伝送するための光ファイバを備える。これらのリンクはまた、具体的には最も長い伝播距離をカバーするために、光増幅器および／または分散補償デバイスなどの図示されないさまざまな構成要素も備え得る。
【００２０】
図１のネットワークは、明確さを目的として、非常に単純なリング型のトポロジを示す。しかし、以下の情報はこの例に限定されず、任意の数のノードおよびリンクをもつ任意のトポロジをもつネットワークに適用することができる。
【００２１】
一実施形態で、ノード制御ユニットの１ｂから４ｂは、トポロジの発見、経路計算、接続の確立、故障の検出および故障からの回復などの機能を実装するために、制御チャネルを介してそれら自体の間で通信する。このレイアウトは、具体的にはＩＥＴＦ（インターネット技術タスクフォース）の文献に記載されたＧＭＰＬＳ（Ｇｅｎｅｒａｌｉｚｅｄ  Ｍｕｌｔｉ  Ｐｒｏｔｏｃｏｌ  Ｌａｂｅｌ  Ｓｗｉｔｃｈｉｎｇ）プロトコル群を使用して実装され得る、ネットワークの分散された制御プランを構成する。
【００２２】
もう１つの実施形態で、これらの機能のうちのいくつかは、たとえば人間のオペレータによって提供される命令にしたがって、ノードを構成するためにリンク９９を介して各ノードと通信する中央ネットワーク制御装置１００によって中央に実装される。
【００２３】
図２は、ノード１から４で使用可能な、ＧＭＰＬＳプロトコル群を実装する一実施形態におけるノード制御ユニット５０を機能的に示す。経路指定モジュール５１は、たとえばＯＳＰＦ−ＴＥまたはＩＳ−ＩＳ−ＴＥなど、リンク状況経路指定プロトコルを実装し、確立された技法にしたがって、ネットワークリンクのトポロジ、接続性、および容量情報を広めるために、このプロトコルにしたがって他方のノードと経路指定メッセージ５２を交換する。ノード制御ユニット５０は、経路指定モジュール５１によって供給される、そしてその中でこの情報が保存され、動的に更新される、トラフィックエンジニアリングデータベース５３を備える。
【００２４】
ノードコントローラ５０は、その中でネットワークリンクおよびノードの物理パラメータが保存される物理データベース５８を備える。物理データベース５８は、この情報を動的に更新するために、たとえば経路指定モジュール５１によって供給される。一変形形態で、物理データベース５８は、中央ネットワーク制御装置から供給され得る。さまざまなタイプの物理データが、ネットワーク内の所与のトランスペアレントなパスを介する光信号の予測される劣化の計算を可能にするために、データベース５８内で確立され得る。たとえば、この目的に使用可能なパラメータは、リンクごとの累積色分散、リンクごとのＯＳＮＲ劣化、リンクごとの累積非線形位相、リンクの偏波モード分散（ＰＭＤ）などである。部分的に波長、最悪搬送波についての値、またはネットワーク内で使用されるスペクトルについての平均値に依存するこれらのパラメータ、あるいは個別の波長間隔についての具体的な値の表を保存することができる。データベース５８は、簡潔性を目的として、個々に且つ別々に示されているが、具体的にはいくつかの相互接続されたデータ構造の形態で、異なる方法でこれらのデータを構築することが可能である。
【００２５】
シグナリングモジュール５４は、たとえばＲＳＶＰ−ＴＥなど、シグナリングプロトコルを実装し、他方のノードを通過する接続、具体的には接続の確立、修正、または削除の動作、を管理するために、このプロトコルにしたがって他のノードとシグナリングメッセージ５５を交換する。トラフィックエンジニアリングデータベース５３は、リソース占有状況を動的に記録するために、受付制御モジュール５６の制御の下で、ノードを介して確立される接続にしたがって更新される。
【００２６】
具体的にはＧＭＰＬＳネットワーク、経路指定メッセージ５２およびシグナリングメッセージ５５で制御メッセージを搬送するいくつかの可能性が存在する。たとえば、これらのメッセージは、データトラフィックと同じリンク（「ファイバ内」）でもしくは別個の専用リンクで、同じチャネルで（「帯域内」）、または別個の専用チャネルで搬送され得る。
【００２７】
たとえばノード１およびノード４の間のラムダＬＳＰ（ラベルスイッチパス）など、図１のネットワークを介する接続を確立するために実装されることになる３つのカテゴリの動作が実質的に存在する：空間パスの決定、換言すれば、使用されることになるノードおよびリンクの決定と、波長割当て、換言すれば、これらのリンクで使用されることになる１つまたは複数のチャネルの決定と、光信号の物理的劣化の考慮、換言すれば、宛先で取得することができる信号品質の判定。ＩＥＴＦからの文献「Ａ  Ｆｒａｍｅｗｏｒｋ  ｆｏｒ  ｔｈｅ  Ｃｏｎｔｏｒｏｌ  ｏｆ  Ｗａｖｅｌｅｎｇｔｈ  Ｓｗｉｔｃｈｅｄ  Ｏｐｔｉｃａｌ  Ｎｅｔｗｏｒｋｓ（ＷＳＯＮ）  ｗｉｔｈ  Ｉｍｐａｉｒｍｅｎｔｓ」Ｇ．Ｂｅｒｎｓｔｅｉｎら、２００９年５月５日は、それぞれ経路指定、波長割当て、および機能障害確認と呼ばれる、これらの動作を実装するためのいくつかの可能なアーキテクチャを説明する。
【００２８】
ここで双方向接続のこれらの動作を実行することができる方法の一実施形態を説明する。
【００２９】
たとえばネットワークの１つまたは複数のノードのデータベース５３内に保存されるものなど、ネットワークトポロジ情報は、ノード１および３、２および３、３および４、ならびに４および１を個別に接続する双方向リンク１０、２０、３０、および４０を備える。それぞれの場合に、双方向リンクは、一対の交換ノードの間に延びる反対の方向の２つの単方向リンク、換言すれば２つの反対方向のリンクの関連付けである。それぞれの双方向リンク１０から４０は、そのプロパティを示すデータベース５３に保存される。たとえば、双方向リンクは、その構成要素（構成要素リンク）が対応する２つの反対方向のリンクを備えるバンドルドリンクの形態で保存される。ＧＭＰＬＳネットワークにおけるバンドルドリンクの表現および使用についてさらに詳しくは、ＩＥＴＦからのＲｅｑｕｅｓｔ  ｆｏｒ  Ｃｏｍｍｅｎｔ  ４２０１、２００５年１０月で与えられる。バンドルドリンクの形態の、具体的には双方向リンク１０、２０、３０、および４０の形態の、ネットワークトポロジの表現は、ネットワーク制御プランによって搬送され、管理されるトポロジデータの量を限定するのに役立ち得る。経路計算動作は、双方向リンクのシーケンス、たとえば前述の例のシーケンス１０−２０−３０、の形態で空間パスを提供するために、この表現に基づいて実行され得る。
【００３０】
接続パスを介する信号の物理的劣化を示すために、対応するバンドリングプロセスが使用される。各双方向リンクの物理プロパティの記述子が、ネットワーク内、たとえば１つまたは複数のノードのデータベース５８内または装置１００内、に保存される。これらの双方向リンク記述子は、リンクのそれぞれに対応し、したがってバンドルされる物理パラメータからのそれぞれの場合に取得される、１つまたは複数の物理パラメータを備える。接続パスを介する物理伝送品質を判定または予測するプロセスは次に、両方の伝播方向を共に識別する結果を提供するために、このパスを構成する双方向リンク記述子に基づいて実行され得る。したがって、かかる方法は両方の接続方向について別個に物理的劣化を計算する必要性を回避する。
【００３１】
多数の方法が、バンドルドリンクの物理パラメータを示すために想定され得る。信号が被る物理的劣化のコンパクトな、高信頼の表現は、以下の表に記載されたパラメータを使用して取得することができる：
【表１】
0005449555.tif 000002
【００３２】
上記の表で、記号ｐｉ（ｋ）は、リンク参照ｋについての、ｉが自然数１から４である、パラメータＰｉの値を指定する。第４の欄は、双方向リンク記述子１０を備えるために使用される４つの物理的劣化パラメータを記載する。他方の双方向リンクは、同じ方法で取得される個別の記述子によって表される。
【００３３】
一実施形態で、将来の接続の伝送品質は、単方向リンクの伝送品質ベクトルを活用するためにＦＲ−Ａ−２８６４３８６に記載される方法にしたがってこのように取得される双方向リンク記述子を活用することによって決定される。換言すれば、双方向リンクのシーケンスを備えるパスについて、個別の双方向リンクについてのパラメータＰｉ（ｉは自然数１から４）は、端から端までの双方向接続の特性を示す値を取得するために、ＦＲ−Ａ−２８６４３８６に記載された合成法にしたがって構成される。補間機能が次に、接続パスを介して蓄積される物理的劣化パラメータからの、両方の伝播方向について有効な、予測される２進誤り率値の判定を可能にする。かかる活用は、特に前述の文献「Ａ  Ｆｒａｍｅｗｏｒｋ  ｆｏｒ  ｔｈｅ  Ｃｏｎｔｒｏｌ  ｏｆ  Ｗａｖｅｌｅｎｇｔｈ  Ｓｗｉｔｃｈｅｄ  Ｏｐｔｉｃａｌ  Ｎｅｔｗｏｒｋｓ（ＷＳＯＮ）ｗｉｔｈ  Ｉｍｐａｉｒｍｅｎｔｓ」に記載されるさまざまな概念的アーキテクチャにしたがって、接続を確立する方法にさまざまな形で統合され得る。
【００３４】
図３は、バンドルドリンク記述子を自動的に生成するための適切な方法を示す。この方法は、ネットワーク上の１つまたは複数のノード制御ユニットによって、または集中制御装置に、実装され得る。
【００３５】
ステップ６１で、バンドルドリンクの構成要素が、たとえばトラフィックエンジニアリングデータベースに問い合わせることによって、決定される。
【００３６】
ステップ６２で、バンドルドリンクの各構成要素の物理的劣化パラメータが、たとえば１つまたは複数の構成ファイルの形態で、提供される。これらのデータは、オペレータによって手動で供給され得る、または自動発見機構によって自動的に決定され得る。物理的劣化パラメータは、たとえばバンドルドリンクの各構成要素について前述された４つのパラメータＰｉを備える。
【００３７】
ステップ６３で、バンドルドリンクについての物理的劣化パラメータがバンドルドリンクの構成要素についての対応するパラメータにしたがって、たとえば前述の公式にしたがって、計算される。
【００３８】
ステップ６４で、バンドルドリンク記述子が、たとえば１つまたは複数のＴＬＶ（タイプ、長さ、値）データ構造の形態または他の構造タイプで、保存される。
【００３９】
ステップ６５で、バンドルドリンク記述子は、たとえばＯＳＰＦ−ＴＥ経路指定プロトコルのリンクステートアドバタイズメント（ＬＳＡ）メッセージの形態で、ネットワーク上の１つまたは複数のノードに送信される。しかし、この拡散は、バンドルドリンク記述子がそれを生成したものとは異なる装置によって活用される場合にのみ必要である。
【００４０】
一実施形態で、集中ネットワーク制御装置は、ネットワークまたは領域内のすべてのリンクについての記述子を収集し、集中的にこのネットワークまたは領域を介する接続の伝送品質を判定する。もう１つの実施形態で、接続の伝送品質は、接続パス上に位置するノード制御ユニットによって分散された形で判定される。かかる場合には、各ノードがそれに隣接するリンクの記述子のみを知ることで十分であり得る。
【００４１】
図３において本方法は、任意のバンドルドリンク、具体的には、双方向リンクと言われる、２つの反対方向で構成要素を備えるバンドルドリンク、またはバンドルド単方向リンク、に適用され得る。任意の数の構成要素が存在し得る。
【００４２】
図示された要素のいくつか、特にコマンドユニット、サーバ、および他のモジュール、は、ハードウェアおよび／またはソフトウェア構成要素を使用して、さまざまな形態で、独立型または分散された形で、構成され得る。使用することができるハードウェア構成要素は、特定用途向け集積回路、現場書替え可能ゲートアレイ、またはマイクロプロセッサである。ソフトウェア構成要素は、Ｃ、Ｃ＋＋、Ｊａｖａ（登録商標）、またはＶＨＤＬなどのさまざまなプログラミング言語で書くことができる。このリストは網羅的ではない。
【００４３】
ネットワーク管理デバイスは、マイクロコンピュータ、ワークステーション、インターネットに接続されたデバイス、または任意の他の専用または汎用通信デバイスなどのハードウェアデバイスでもよい。このシステムによって走らされるソフトウェアプログラムは、ネットワーク要素を制御するためのネットワーク管理機能を実行する。
【００４４】
本発明が複数の具体的な実施形態に関して記載されているが、それは当然ながらいかなる形でもそれらに限定されず、記載された手段のすべての技術的等価物、ならびに、それらの組合せが本発明の範囲内にある場合には、前記組合せを備える。
【００４５】
用語「備える」または「含む」およびそれらの抱合型の使用は、特許請求の範囲に記載されるもの以外の要素またはステップの存在を排除しない。要素またはステップについての不定冠詞「ａ」または「ａｎ」（１つの、一）の使用は、別途記載のない限り、複数のかかる要素またはステップの存在を排除しない。複数の手段またはモジュールが、単一のハードウェア要素内に示されることがある。
【００４６】
本特許請求の範囲において、丸括弧内のいずれの引用符号も、本特許請求を限定するものとして解釈されるべきではない。
【図１】
0005449555.tif 000003
【図２】
0005449555.tif 000004
【図３】
0005449555.tif 000005